(57)【特許請求の範囲】
【請求項１】
方形かつ簿板状回路基板の複数枚を適当な間隔を保ちつつ垂直に装着して乾燥炉内に搬送する基板の搬送ラックにおいて、基板の左右対向辺をガイドしつつ垂直方向に挿入する基板のガイド手段を左右に対向配置すると共に、該ガイド手段を介して基板の左右対向辺を保持すると同時に基板を左右方向に緊張する固定手段を設け、さらに前記ガイド手段は、断面Ｕ字型棒状に形成し、その上端に挿入を容易にする入り口ガイド部を有すると共に、縦方向における複数箇所に前記固定手段を構成する切欠部を有するガイドロッドを設けて成り、かつ前記固定手段は、軸中心に回転する偏心カム及び該偏心カムが回転することによりその外周が摺接する前記ガイドロッドの切欠部とから成り、該偏心カムの回転によりカムの外周面と前記ガイドロッドの切欠部におけるＵ字型内面との間にて前記基板を挟持し緊張しつつ固定する固定手段にて構成したことを特徴とする基板の搬送ラック。
【請求項２】
前記固定手段を構成する偏心カムは、弾性部材により常時は基板を固定する方向に付勢されており、基板挿入時は弾性部材の付勢に抗して基板の固定を開放する方向に回転し基板の挿入を可能にすることを特徴とする請求項１記載の基板の搬送ラック。
【発明の詳細な説明】
【０００１】
【発明の属する技術分野】
本発明は回路基板を搬送する搬送ラックに関する。
【０００２】
【従来の技術】
従来から回路基板は、複数の工程間を搬送しながら製造されているが、この搬送の際の荷姿には平積方式、立てかけ方式、ラックボックスによる方式等があり、これらの方式は製造工程に適合した方式ものが採用されている。
【０００３】
例えば、回路基板を乾燥する工程における搬送では、一般的に基板は懸垂状態に保持して乾燥機内に搬送されるが、方形薄板状の基板の場合は柔らかくて波状に曲がりやすく、しかも空気抵抗にて揺れやすいことから搬送中に基板相互間が接触して接触部分にスクラッチが生じる恐れがある。そこで従来はこの問題を解消するために３辺を枠にて固定して１枚づつ乾燥炉に送り込む方式、又はラックボックスを用いてその内部に複数の基板を保持してラックボックスと共に乾燥炉内に送り込む等の搬送方式が採用されている。
【０００４】
例えば、前記ハンガーに基板の３辺を固定して１枚づつ乾燥炉内に搬送する方式としては特開２００１ー２８９５６３号公報に開示された発明が公知である。
【０００５】
【発明が解決しようとする課題】
しかしながら、前記公報に開示された発明はハンガーに基板の３辺をクリップにて固定するものであるが、クリップで固定するだけで基板を緊張するものではなく、またラックボックスを用いた従来の方式でも、ラックボックス内の仕切りにて基板を等間隔に挿入するだけ、あるいは挿入した基板をクリップで固定するだけでは基板が波打状に曲がって相互間が接触しやすいという問題があった。
【０００６】
特に、近来は回路基板が高精度かつ高密度化しているので、わずかなスクラッチの発生でも不良になるために、歩留まりに大きな影響を及ぼしていた。よって本発明は、前記従来の問題点に鑑みてなされたものであり、基板の対向２辺を固定すると同時に緊張することができる基板の搬送ラックの提供を目的とする。
【０００７】
【課題を解決するための手段】
上記目的を達成するため、本発明の基板の搬送ラックに係る請求項１は、方形かつ簿板状回路基板の複数枚を適当な間隔を保ちつつ垂直に装着して乾燥炉内に搬送する基板の搬送ラックにおいて、基板の左右対向辺をガイドしつつ垂直方向に挿入する基板のガイド手段を左右に対向配置すると共に、該ガイド手段を介して基板の左右対向辺を保持すると同時に基板を左右方向に緊張する固定手段を設け、さらに前記ガイド手段は、断面Ｕ字型棒状に形成し、その上端に挿入を容易にする入り口ガイド部を有すると共に、縦方向における複数箇所に前記固定手段を構成する切欠部を有するガイドロッドを設けて成り、かつ前記固定手段は、軸中心に回転する偏心カム及び該偏心カムが回転することによりその外周が摺接する前記ガイドロッドの切欠部とから成り、該偏心カムの回転によりカムの外周面と前記ガイドロッドの切欠部におけるＵ字型内面との間にて前記基板を挟持し緊張しつつ固定する固定手段にて構成したことを特徴とするものである。
【０００８】
請求項２は、前記固定手段を構成する偏心カムは、弾性部材により常時は基板を固定する方向に付勢されており、基板挿入時は弾性部材の付勢に抗して基板の固定を開放する方向に回転し基板の挿入を可能にすることを特徴とする請求項１記載の基板の搬送ラックである。
【００１１】
請求項１によれば、搬送ラックに基板を挿入するためのガイド手段を搬送ラックの左右に対向配置したことにより基板の自動挿入が容易になり、またこのガイド手段に基板を緊張しつつ固定する基板の固定手段を設けたことにより、基板を緊張した状態で搬送することが可能となる。これにより簿板状の基板が波打状に曲がって基板相互間が接触することが防止され、接触によるスクラッチの発生が防止される。
【００１２】
そして、ガイド手段が断面Ｕ字型棒状のガイドロッドから成り、その上端に入口ガイド部が設けられているので入口での基板の挿入が容易になり、更にＵ字型溝にて下端までガイドされるので円滑な挿入が可能となる。
【００１３】
また、ガイドの複数箇所に切欠部を設けてこの部分に固定手段を構成したことにより、固定手段を構成する偏心カムの回動にてカムの外周面とガイドロッドの切欠部内面との間にて基板を緊張しつつ固定するが可能となる。
【００１４】
請求項２によれば、前記固定手段を構成する偏心カムは、弾性部材により常時は基板を固定する方向に付勢されているので搬送時に基板の緊張状態を保つことが可能となる。また基板をラックに挿入し又は取り出す場合には、弾性部材の付勢に抗して偏心カムを基板の固定を開放する方向に回転することにより可能になる。
【００１５】
【発明の実施の形態】
以下本発明の実施の形態を図面を用いて説明する。
図１から図７は本発明に実施の形態に係り、図１は基板の固定手段を示す斜視図、図２（ａ）はガイド手段を示す正面図、（ｂ）は同上面図、（ｃ）は同側面図、図３（ａ）はガイド手段と固定手段を示す図正面図、（ｂ）は同上面図、図４は固定手段の側面図、図５は固定手段の上面図、図６は固定手段の作用を示す上面図、図７は搬送ラックの概略構成を示す斜視図である。
【００１６】
本発明の搬送ラックは、乾燥炉内の熱及び雰囲気に対する耐熱性と耐蝕性を有する必要があり本実施の形態ではステンレスの中空角パイプを用いて図７に示すように立方体の枠１が構成されている。この枠１は縦方向の対向面に上段１ａ、中段１ｂ、下段１ｃの枠骨が設けられ、下面には基板を挿入した際にその下端が当接して挿入深さが決定される枠骨１ｄ、１ｅが設けられている。
【００１７】
また、図３に示すように、上段１ａ、中段１ｂ、下段１ｃの枠骨それぞれには保持プレート３ａ、３ｂ、３ｃが固定されており、それぞれの保持プレート３を介してガイド手段である断面Ｕ字形のガイドロッド２が垂直方向に適当な間隔を保って固定されている。そしてガイドロッド２それぞれの保持プレート３に固定された近傍に図２に示すように後述の固定手段を設けるための切欠部４ａ、４ｂ、４ｃが設けられ、上端にＵ字形溝５がラッパ状に拡幅された入り口ガイド部６が設けられている。
【００１８】
なお、この切欠部４ａ、４ｂ、４ｃは図１の４ｂを代表して示すようにガイドロッド２の断面Ｕ字形の１／２超が部分的に削除され、この部分に固定手段を構成する偏心カム７の配置を可能に形成されている。
【００１９】
一方、前記固定手段は、図３に示すように回転軸８が保持プレート３ａ、３ｂ、３ｃを回転自在に貫通し、回転軸８の長手方向における３箇所に偏心カム７が固定され、図１に示すように偏心カム７それぞれはガイドロッド２の切欠部４ａ、４ｂ、４ｃそれぞれのＵ字型溝内に入り込ませ回動可能に配置されている。
【００２０】
また、図１に示すように中段の枠骨１ｂにおいては、枠骨１ｂに固定された保持プレート３ｂを貫通した回転軸８にレバー９が固定されており、保持プレート３ｂとレバー９とのとの間にコイルバネ１０が嵌装されている。このこのコイルバネ１０は図１、図４、図５に示すようにその一端が保持プレート３に貫通して掛止され、他端がレバー９の側面に掛止されていて、常時はバネ１０の付勢にて偏心カム７の外周がガイドロッド２の内面から離れる方向に回動させられている。
【００２１】
一方、回転軸８に固定されたレバー９の他端は図１及び図５に示すように操作軸１２にピン１１を介して回動自在に連結され、操作軸１２をその軸方向に往復動させることにより複数のレバー９を同時に回動することができる構成になっている。
【００２２】
上記構成の搬送ラックは、まずその内部に基板を挿入する。この場合、図１において操作軸１２を開放方向に操作することにより偏心カム７はバネ１０の付勢に抗して図６に示すように矢印Ａと反対の方向（２点鎖線で示す位置）に回転する。これによりガイドロッド２のＵ字形溝が開放されるのでこの位置で操作軸１２の操作を固定することにより基板１３の挿入態勢になる。
【００２３】
基板を入り口ガイド部６から枠骨１ｄ、１ｅに当接するまで挿入した後に、操作軸１２の固定を開放することによりバネの付勢にて偏心カム７が図６の矢印で示す方向に自動回転して偏心カム７の外周がガイドロッド２のＵ字形溝５内面に接する方向に移動し、Ｕ字形型溝５の内面と偏心カム７の外周面との間で基板１３を挟持し矢印Ｂで示す左右方向に引き込んで緊張しつつ固定することが可能となる。
【００２４】
なお、前記基板の搬送ラックを構成する材料はステンレスに限らず乾燥炉内の温度及び雰囲気による耐熱性及び耐食性を有すればプラスチックその他の材料を用いてもよい。また複数の偏心カムは、操作軸１２にて一斉操作することに限らず、個々に操作することも可能である。
【００２５】
【発明の効果】
本発明は、搬送ラックに基板を挿入するためのガイド手段を設けたことにより基板の挿入が容易になり、またこのガイド手段を介して偏心カムにて構成する基板の固定手段を設けたことにより、基板を挿入すると同時に偏心カムの作用にて基板を引き込んで左右方向に緊張しつつ固定することが可能となる。これにより簿板状の基板が波打状に曲がることが防止されるので、曲がりにて基板相互間が接触することによるスクラッチの発生が防止される。
【図面の簡単な説明】
【図１】本発明の実施の形態に係る基板の固定手段を示す斜視図である。
【図２】（ａ）はガイド手段を示す正面図、（ｂ）はガイド手段を示す上面図、（ｃ）ガイド手段を示す側面図である。
【図３】（ａ）はガイド手段と固定手段を示す正面図、（ｂ）ガイド手段と固定手段を示す上面図である。
【図４】固定手段の側面図である。
【図５】固定手段の上面図である。
【図６】固定手段の作用を示す上面図である。
【図７】搬送ラックの概略構成を示す斜視図である。
【符号の説明】
１  枠
２  ガイドロッド
３  保持プレート
４  切欠部
５  Ｕ字形溝
６  入り口ガイド部
７  偏心カム
８  回転軸
９  レバー
１０  コイルバネ
１１  ピン
１２  操作軸
１３  基板
【図１】
0004045124.tif 000002
【図２】
0004045124.tif 000003
【図３】
0004045124.tif 000004
【図４】
0004045124.tif 000005
【図５】
0004045124.tif 000006
【図６】
0004045124.tif 000007
【図７】
0004045124.tif 000008